(57)【要約】【課題】楽曲データなどの単位データが他の単位データとの間に連続性を持ったデータであるか否かを、容易かつ確実に識別することができ、連続性を持ったデータである場合には、再生時、それに応じた適切な処理を行うことができるようにする。【解決手段】  当該の楽曲とその前および後の楽曲との間に連続性がある場合には、存在識別子としてコード“１１”を付加し、特定識別子として前の楽曲の識別番号および後の楽曲の識別番号を付加する。当該の楽曲とその前の楽曲との間にのみ連続性がある場合には、存在識別子としてコード“１０”を付加し、特定識別子として前の楽曲の識別番号を付加する。当該の楽曲とその後の楽曲との間にのみ連続性がある場合には、存在識別子としてコード“０１”を付加し、特定識別子として後の楽曲の識別番号を付加する。楽曲データをＣＤに記録する場合のように、曲順が定められる場合には、存在識別子のみを付加すればよい。【選択図】図４
2005071523.tif 000002
【特許請求の範囲】
【請求項１】
順序が定められる複数の単位情報を符号化する方法であって、
符号化された当該の単位データが、その前または後の単位データとの間に連続性を持ったデータであるときには、当該の単位データに対して、当該の単位データとの間に連続性を持った単位データが存在することを示す識別子である存在識別子を付加する符号化方法。
【請求項２】
複数の単位情報を符号化する方法であって、
符号化された当該の単位データとの間に連続性を持った別の単位データが存在するときには、当該の単位データに対して、当該の単位データとの間に連続性を持った別の単位データが存在することを示す識別子である存在識別子、および、その別の単位データを特定するための識別子である特定識別子を付加する符号化方法。
【請求項３】
請求項１記載の符号化方法によって存在識別子が付加された符号化データを記録媒体に記録する記録方法。
【請求項４】
請求項２記載の符号化方法によって存在識別子および特定識別子が付加された符号化データを記録媒体に記録する記録方法。
【請求項５】
請求項１記載の符号化方法によって存在識別子が付加された符号化データを送信する送信方法。
【請求項６】
請求項２記載の符号化方法によって存在識別子および特定識別子が付加された符号化データを送信する送信方法。
【請求項７】
請求項１記載の符号化方法によって存在識別子が付加された符号化データが記録された記録媒体。
【請求項８】
請求項２記載の符号化方法によって存在識別子および特定識別子が付加された符号化データが記録された記録媒体。
【請求項９】
順序が定められる複数の単位情報を符号化する装置であって、
符号化された当該の単位データが、その前または後の単位データとの間に連続性を持ったデータであるときには、当該の単位データに対して、当該の単位データとの間に連続性を持った単位データが存在することを示す識別子である存在識別子を付加する符号化装置。
【請求項１０】
複数の単位情報を符号化する装置であって、
符号化された当該の単位データとの間に連続性を持った別の単位データが存在するときには、当該の単位データに対して、当該の単位データとの間に連続性を持った別の単位データが存在することを示す識別子である存在識別子、および、その別の単位データを特定するための識別子である特定識別子を付加する符号化装置。
【請求項１１】
請求項９記載の符号化装置を符号化部として備え、その存在識別子が付加された符号化データを記録媒体に記録する記録装置。
【請求項１２】
請求項１０記載の符号化装置を符号化部として備え、その存在識別子および特定識別子が付加された符号化データを記録媒体に記録する記録装置。
【請求項１３】
請求項９記載の符号化装置を符号化部として備え、その存在識別子が付加された符号化データを送信する送信装置。
【請求項１４】
請求項１０記載の符号化装置を符号化部として備え、その存在識別子および特定識別子が付加された符号化データを送信する送信装置。
【発明の詳細な説明】
【技術分野】
【０００１】
この発明は、音楽情報や映像情報などのコンテンツ情報を、デジタル符号化し、記録または送信する方法および装置、および、音楽情報や映像情報などのコンテンツ情報がデジタル符号化されて記録された記録媒体に関する。
【背景技術】
【０００２】
音楽の楽曲情報を、記録媒体に記録し、または送信する場合、最近ではデジタル信号として符号化する。楽曲情報の符号化方式としては、楽曲情報を標本化し、量子化するだけのＰＣＭ（Ｐｕｌｓｅ  Ｃｏｄｅ  Ｍｏｄｕｌａｔｉｏｎ）や、ＡＴＲＡＣ３（登録商標：Ａｄａｐｔｉｖｅ  Ｔｒａｎｓｆｏｒｍ  Ａｃｏｕｓｔｉｃ  Ｃｏｄｉｎｇ−３）またはＭＰ３（ＭＰＥＧ−１  Ａｕｄｉｏ  Ｌａｙｅｒ−３）などの各種圧縮方式がある。
【０００３】
このように符号化された楽曲データには、付加情報として、符号化方式、チャンネル数、標本化周波数、量子化ビット数などが示される。また、このような再生に直接必要な情報以外にも、楽曲のタイトル、アーティスト名、演奏時間などが、付加情報として示される。
【０００４】
このように符号化された複数の楽曲を記録または送信する場合、一般には、２つの楽曲の間、すなわち前の楽曲の終点と後の楽曲の始点との間は、無音状態とする。特許文献１（特開２００２−１９８８１８号公報）には、前の楽曲の符号化データと後の楽曲の符号化データとの間に、復号化時に所望の長さ分の無音として再生されるような符号化データを付加することが示されている。
【０００５】
しかし、ライブで収録される音楽などのように、前の楽曲の終点と後の楽曲の始点との間に聴衆の声や拍手の音などが存在し、前の楽曲と後の楽曲が楽曲としては異なるものであっても、両者間に連続性を有するものがある。また、本来は一つの楽曲であるものを複数の楽曲に分けたため、その複数の楽曲の間に連続性を有するものもある。
【０００６】
このような連続性を持った楽曲は、連続性を維持したまま符号化し、記録または送信することが望ましいが、再生時、連続して再生されない場合には、前の楽曲の終端部の再生結果、および後の楽曲の始端部の再生結果が、違和感のある不自然なものとなる。
【０００７】
図８（Ａ）の楽曲Ａおよび楽曲Ｂは、このように連続性を持ったものである。これら楽曲Ａ，Ｂを連続して再生する場合には、図８（Ａ）のように連続した音声波形として再生されることになり、自然な音として聞こえる。
【０００８】
しかし、図８（Ｂ）に示すように、前の楽曲Ａのみが再生される場合には、その終点で波形が急激に変化して、不自然な音として聞こえる。また、図８（Ｃ）に示すように、後の楽曲Ｂのみが再生される場合には、その始点で波形が急激に変化して、不自然な音として聞こえる。そのため、このような場合には、聴感上、自然な音になるように、フェード処理を行うことが望ましい。
【０００９】
特許文献２（特開２００２−２６９９５７号公報）には、楽曲販売サービスで、顧客が購入する楽曲データを、記録メディアに記録するなどして顧客に提供する場合に、顧客が購入する楽曲データに対して連続性を持った楽曲データが存在するときには、その連続性を持った楽曲データの冒頭部または終端部をフェード処理したデータを、顧客が購入する楽曲データの終点後または始点前に付加して、顧客が購入する楽曲データを顧客に提供することが示されている。
【００１０】
また、特許文献３（特開２００１−３３７６９８号公報）には、オーディオファイルを圧縮する場合に、隣接する２つのファイル中の、前方側ファイルの終端部近傍のブロックと後方側ファイルの始端部近傍のブロックとに跨って圧縮処理することによって、２つのファイルを連続して再生した場合に音切れを生じないようにすることが示されている。
【００１１】
上で挙げた先行技術文献は、以下の通りである。
【特許文献１】特開２００２−１９８８１８号公報
【特許文献２】特開２００２−２６９９５７号公報
【特許文献３】特開２００１−３３７６９８号公報
【発明の開示】
【発明が解決しようとする課題】
【００１２】
しかしながら、上述したような連続性を持った複数の楽曲データが、記録媒体に記録され、または送信されて、利用者のもとに伝送される場合、利用者は、その複数の楽曲データが連続性を持ったものであることを直ちに識別することはできない。
【００１３】
そのため、利用者は、一度試聴してみて、連続性を持ったものであるか否かを確認し、連続性を持った楽曲データについては、上述した不自然さを解消するために、連続して再生し、または再生装置にフェード処理を行わせるなどの必要がある。
【００１４】
しかしながら、楽曲の再生の都度、このような試聴や操作を行うのは、ユーザにとって煩わしい。
【００１５】
楽曲を提供する側にとっても、楽曲データの記録時や送信時、連続性を持った複数の楽曲データについては、単独で再生される場合の不自然さを回避するために、フェード処理などの処理を行い、または一つの楽曲データとして再生されるような別バージョンを用意するとなると、負担が大きくなる。
【００１６】
そこで、この発明は、楽曲データなどの単位データが他の単位データとの間に連続性を持ったデータであるか否かを、容易かつ確実に識別することができ、連続性を持ったデータである場合には、再生時、それに応じた適切な処理を行うことができるようにしたものである。
【課題を解決するための手段】
【００１７】
第１の発明の符号化方法は、
順序が定められる複数の単位情報を符号化する方法であって、
符号化された当該の単位データが、その前または後の単位データとの間に連続性を持ったデータであるときには、当該の単位データに対して、当該の単位データとの間に連続性を持った単位データが存在することを示す識別子である存在識別子を付加する。
【００１８】
第２の発明の符号化方法は、
複数の単位情報を符号化する方法であって、
符号化された当該の単位データとの間に連続性を持った別の単位データが存在するときには、当該の単位データに対して、当該の単位データとの間に連続性を持った別の単位データが存在することを示す識別子である存在識別子、および、その別の単位データを特定するための識別子である特定識別子を付加する。
【００１９】
第１の発明の符号化方法は、複数の楽曲の間に曲順の概念があり、かつ曲順を変更できない場合のように、複数の単位情報の間に順序が定められる場合に適用するもので、例えば、複数の楽曲情報を符号化する場合、第１の発明の符号化方法では、符号化された当該の楽曲データが、その前または後の楽曲データとの間に連続性を持ったデータであるときには、当該の楽曲データに対して、当該の楽曲データとの間に連続性を持った楽曲データが存在することを示す識別子が付加される。
【００２０】
したがって、この第１の発明の符号化方法によって符号化されて、記録媒体に記録された、または送信された、複数の単位データからなる音楽や映像などのコンテンツを再生する場合、再生装置では、当該の単位データが、その前または後の単位データとの間に連続性を持ったデータであるか否かを、容易かつ確実に識別することができ、連続性を持った単位データについては、連続して再生し、またはフェード処理を行うなど、それに応じた適切な処理を行うことができる。
【００２１】
第２の発明の符号化方法は、複数の単位情報の間に順序が特定されない場合に適用することができるもので、この場合には、当該の単位データとの間に連続性を持った別の単位データが存在するとき、当該の単位データに対して、当該の単位データとの間に連続性を持った別の単位データが存在することを示す識別子、および、その別の単位データを特定するための識別子が付加される。
【００２２】
したがって、この第２の発明の符号化方法によって符号化されて、記録媒体に記録された、または送信された、複数の単位データからなる音楽や映像などのコンテンツを再生する場合、再生装置では、当該の単位データとの間に連続性を持った別の単位データが存在するか否か、および、存在するときには、その別の単位データがいずれの単位データであるかを、容易かつ確実に識別することができ、連続性を持った単位データについては、連続して再生し、またはフェード処理を行うなど、それに応じた適切な処理を行うことができる。
【発明の効果】
【００２３】
以上のように、この発明によれば、楽曲データなどの単位データが他の単位データとの間に連続性を持ったデータであるか否かを、容易かつ確実に識別することができ、連続性を持ったデータである場合には、再生時、それに応じた適切な処理を行うことができる。また、コンテンツを提供する側にとっては、上述したような別バージョンを用意するなどの負担がなくなる。
【発明を実施するための最良の形態】
【００２４】
〔楽曲データの場合の実施形態〕
以下に、コンテンツ情報が音楽情報であり、単位データが楽曲データである場合につき、この発明の最良の形態を示す。
【００２５】
（識別子の付加方法：図１および図２）
存在識別子（当該の楽曲との間に連続性を持った別の楽曲が存在することを示す、または存在するか否かを示す識別子）および特定識別子（その別の楽曲を特定するための識別子）は、例えば、符号化された楽曲データに付加する情報の一つとして、楽曲データと一緒にファイル化する。
【００２６】
図１は、この場合の例を示し、１曲分の楽曲ファイルの先頭部、すなわち符号化された楽曲データの前の部分に、定められた順序およびサイズで付加情報を記述し、その付加情報の一つとして、存在識別子、または存在識別子および特定識別子を記載する。付加情報の一つとして、付加情報全体のサイズを記述することによって、理論的には記録媒体などの伝送手段の許容範囲内で付加情報を追加することができる。再生装置では、この付加情報を参照して、楽曲データの再生を制御する。
【００２７】
別の方法として、図２に示すように、記録媒体５のある領域６に記録されるテーブルファイルに、記録媒体５の各トラックに記録される各楽曲の符号化された楽曲データについての付加情報を記述し、その付加情報の一つとして、存在識別子、または存在識別子および特定識別子を記載する。
【００２８】
ＣＤ（Ｃｏｍｐａｃｔ  Ｄｉｓｃ）やミニディスク（登録商標）などのパッケージメディアでは、記録容量が限られているため、このようなテーブルファイルによって記録媒体上の全ての楽曲を管理する方法が取られているので、このようなパッケージメディアに楽曲データを記録する場合には、この図２の方法を用いる。
【００２９】
（識別子の形式および内容：図３および図４）
楽曲データをＣＤに記録する場合のように、複数の楽曲の間に曲順の概念があり、かつ曲順を変更できない場合には、当該の楽曲とその前または後の楽曲との間に連続性があるか否かを考慮すればよいので、識別子としては、存在識別子のみを付加すればよく、かつ、その存在識別子は、図３（Ａ）〜（Ｄ）に示すように、２ビットのコードで表現されたものとすることができる。例えば、２ビット中の上位ビットを、当該の楽曲とその前の楽曲との間に連続性があるか否かを示す識別子とし、下位ビットを、当該の楽曲とその後の楽曲との間に連続性があるか否かを示す識別子とする。
【００３０】
すなわち、この場合、図３（Ａ）に示すように、当該の楽曲データＭｎと、その前の楽曲データＭｎ−１および後の楽曲データＭｎ＋１との間に連続性がある場合には、存在識別子を“１１”とし、図３（Ｂ）に示すように、当該の楽曲データＭｎと、その前の楽曲データＭｎ−１との間にのみ連続性がある場合には、存在識別子を“１０”とし、図３（Ｃ）に示すように、当該の楽曲データＭｎと、その後の楽曲データＭｎ＋１との間にのみ連続性がある場合には、存在識別子を“０１”とし、図３（Ｄ）に示すように、当該の楽曲データＭｎと、その前の楽曲データＭｎ−１および後の楽曲データＭｎ＋１との間に連続性がない場合には、存在識別子を“００”とする。
【００３１】
記録または送信される複数の楽曲データの間に曲順がない場合、例えば、記録媒体内で管理できる楽曲数が、あらかじめ決定されている場合には、各楽曲に対して識別番号を設定し、特定識別子を、その識別番号へのリンク情報として上記の存在識別子の後に記述する。
【００３２】
図４に，その一例を示す。ただし、この例では、便宜上、記録媒体内で管理できる楽曲数が、４ビットコードで表現可能な１６曲であるとする。
【００３３】
図４（Ａ）は、当該の楽曲とその前および後の楽曲との間に連続性がある場合で、この場合には、存在識別子としての２ビットコード“１１”に対して、特定識別子として、その連続性がある前の楽曲の識別番号および後の楽曲の識別番号を付加する。
【００３４】
図４（Ｂ）は、当該の楽曲とその前の楽曲との間にのみ連続性がある場合で、この場合には、存在識別子としての２ビットコード“１０”に対して、特定識別子として、その連続性がある前の楽曲の識別番号を付加する。
【００３５】
図４（Ｃ）は、当該の楽曲とその後の楽曲との間にのみ連続性がある場合で、この場合には、存在識別子としての２ビットコード“０１”に対して、特定識別子として、その連続性がある後の楽曲の識別番号を付加する。
【００３６】
図４（Ｄ）は、当該の楽曲と他の楽曲との間に連続性がない場合で、この場合には、存在識別子としての２ビットコード“００”のみを付加し、特定識別子は付加しない。
【００３７】
特定識別子としては、このほか、記録媒体内で管理できる楽曲数や楽曲識別番号に依存しない方法として、ＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）情報などの、標準的に定められた楽曲識別情報を用いることもできる。
【００３８】
この方法によれば、管理方法の異なる媒体間で楽曲ファイルを移動させる場合にも、その特定識別子を直接利用することが可能となる。また、このような標準的な楽曲識別情報が、連続する番号である場合には、特定識別子を、当該の楽曲の識別情報（識別番号）に対する加算または減算の形式で記述することによって、特定識別子に費やす、したがって付加情報に費やすビット数を低減することができる。
【００３９】
なお、存在識別子および特定識別子の形式および内容は、上述した例に限る必要はなく、例えば、特定識別子として、曲名を文字コードで指定することもできる。
【００４０】
（記録方法、記録装置、記録媒体：図５および図６）
図５は、この発明の記録方法および記録装置の一例を示し、コンテンツ制作者が、ディスク原盤に楽曲データを記録して、ＣＤを作成する場合である。
【００４１】
この例では、符号化部１２で、信号源１１からの各楽曲の楽曲情報を符号化して、符号化された楽曲データを得るとともに、その楽曲データに対して、上述した存在識別子を含む付加情報を付加し、記録処理部１３で、その付加情報が付加された楽曲データに対して、変調などの処理を行い、記録光学系１４によって、その処理後のデータをディスク原盤１５に記録して、ディスク原盤１５上にピットを形成し、さらにディスク原盤１５を処理して、記録ずみＣＤ１６を得る。
【００４２】
符号化部１２での符号化および付加情報の一つとしての存在識別子の付加は、図６に示すような処理によって行う。
【００４３】
すなわち、この例の符号化処理２０では、まずステップ２１で、曲順ｉが１の楽曲を選択し、次にステップ２２で、その楽曲情報を符号化して、符号化された楽曲データを得、次にステップ２３に進んで、当該の楽曲と前の楽曲との間に連続性があるか否かを判断する。
【００４４】
ステップ２３で当該の楽曲と前の楽曲との間に連続性があると判断したときには、ステップ２４に進んで、当該の楽曲と後の楽曲との間に連続性があるか否かを判断する。
【００４５】
そして、ステップ２４で当該の楽曲と後の楽曲との間に連続性があると判断したとき、すなわち当該の楽曲と前の楽曲および後の楽曲との間に連続性があるときには、ステップ２６に進んで、存在識別子として、図３（Ａ）に示したような２ビットコード“１１”を付加する。
【００４６】
ステップ２４で当該の楽曲と後の楽曲との間に連続性がないと判断したとき、すなわち当該の楽曲と前の楽曲との間にのみ連続性があるときには、ステップ２７に進んで、存在識別子として、図３（Ｂ）に示したような２ビットコード“１０”を付加する。
【００４７】
一方、ステップ２３で当該の楽曲と前の楽曲との間に連続性がないと判断したときには、ステップ２５に進んで、当該の楽曲と後の楽曲との間に連続性があるか否かを判断する。
【００４８】
そして、ステップ２５で当該の楽曲と後の楽曲との間に連続性があると判断したとき、すなわち当該の楽曲と後の楽曲との間にのみ連続性があるときには、ステップ２８に進んで、存在識別子として、図３（Ｃ）に示したような２ビットコード“０１”を付加する。
【００４９】
ステップ２５で当該の楽曲と後の楽曲との間に連続性がないと判断したとき、すなわち当該の楽曲と前の楽曲および後の楽曲との間に連続性がないときには、ステップ２９に進んで、存在識別子として、図３（Ｄ）に示したような２ビットコード“００”を付加する。
【００５０】
ステップ２６，２７，２８または２９の後には、ステップ３１に進んで、曲順ｉが最後の曲順ｍａｘであるか否かを判断し、最後の曲順ｍａｘでなければ、ステップ３２に進んで、曲順ｉを１、インクリメントして、次の楽曲を選択し、ステップ２２に戻って、次の楽曲につき、ステップ２２以下の処理を繰り返す。
【００５１】
ステップ３１で曲順ｉが最後の曲順ｍａｘであると判断したときには、符号化処理を終了する。
【００５２】
なお、楽曲データを圧縮する場合には、連続性を持った複数の楽曲データを、連続性を維持した状態で圧縮することが望ましい。
【００５３】
（送信方法、送信装置、再生方法、再生装置：図７）
図７は、この発明の送信方法および送信装置の一例を示し、配信元サーバからインターネットなどのネットワークを介してクライアント側の再生装置に、存在識別子および特定識別子が付加された楽曲データを送信する場合である。
【００５４】
すなわち、この例では、配信元サーバを構成する送信装置４０では、再生装置６０からの要求によって、符号化部４２で、信号源４１からの各楽曲の楽曲情報を符号化して、符号化された楽曲データを得るとともに、その楽曲データに対して、上述した存在識別子および特定識別子を含む付加情報を付加し、送信処理部４３で、その付加情報が付加された楽曲データに対して、変調などの処理を行い、ネットワーク接続部４４によって、その処理後のデータをネットワーク５０を介して再生装置６０に送信する。
【００５５】
再生装置６０は、この例では、ＣＰＵ６１、メモリ６２およびハードディスク６３を備え、図５に示した記録ずみＣＤ１６などの記録メディア６４を装着できるとともに、ＣＰＵ６１のバス６５に、ＨＤＤ（ハードディスクドライブ）６６、メディアドライブ６７、ネットワーク接続部６８および符号化復号化部６９が接続されたものである。
【００５６】
送信装置４０からの符号化された楽曲データは、ネットワーク接続部６８によって再生装置６０に取り込まれ、ハードディスク６３にロードされる。さらに、その符号化された楽曲データは、利用者の操作によってハードディスク６３から読み出され、符号化復号化部６９で復号化されて、音響出力装置７０に楽曲信号が送出され、楽曲が再生される。
【００５７】
この場合、ＣＰＵ６１は、楽曲データに付加された存在識別子および特定識別子を読み取って、当該の楽曲との間に連続性を持った別の楽曲が存在するか否かを判断し、存在するときには、その旨およびその別の楽曲のタイトルなどを、図では省略したユーザインタフェース表示部に呈示する。
【００５８】
これに対して、利用者は、その連続性を持った複数の楽曲を連続して再生すること、または当該の楽曲をフェード処理して再生することを、指示することができる。ＣＰＵ６１は、その指示に応じた再生を実行する。
【００５９】
記録メディア６４として、図５に示した記録ずみＣＤ１６のような、存在識別子が付加された楽曲データが記録されている記録メディア、または存在識別子および特定識別子が付加された楽曲データが記録されている記録メディアを装着して、記録メディア６４に記録されている楽曲を再生する場合も、同様である。
【００６０】
また、記録メディア６４として、存在識別子および特定識別子が付加されることなく楽曲データが記録されている記録メディアを装着して、記録メディア６４に記録されている楽曲データをハードディスク６３に記録する場合、記録メディア６４に記録されている、ある楽曲と他の楽曲との間に連続性があるときには、利用者は、それらの楽曲を指定して、存在識別子および特定識別子を付加すべきことを再生装置６０に指示することができる。
【００６１】
その場合には、ＣＰＵ６１は、符号化復号化部６９において、上述した符号化方法によって、利用者が指定した楽曲データに存在識別子および特定識別子を付加し、その付加後の楽曲データをハードディスク６３に記録する。
【００６２】
送信装置４０からの符号化された楽曲データが、存在識別子および特定識別子が付加されていない楽曲データであって、その楽曲データを、再生装置６０で受信し、ハードディスク６３に記録する場合にも、利用者の指示によって、ＣＰＵ６１は、符号化復号化部６９において、上述した符号化方法によって、利用者が指定した楽曲データに存在識別子および特定識別子を付加し、その付加後の楽曲データをハードディスク６３に記録する。
【００６３】
〔他の実施形態〕
上述した実施形態は、コンテンツ情報が音楽情報であり、単位データが楽曲データである場合であるが、この発明は、コンテンツ情報が映画などの映像情報であり、単位データが１シーンや１カットなどの区切りの映像データである場合にも、適用することができる。この場合の連続性は、映像情報が、区切りの間で途切れることなく、連続して存在することである。
【図面の簡単な説明】
【００６４】
【図１】この発明の符号化方法における識別子の付加方法の一例を示す図である。
【図２】この発明の符号化方法における識別子の付加方法の他の例を示す図である。
【図３】この発明の符号化方法における識別子の形式および内容の一例を示す図である。
【図４】この発明の符号化方法における識別子の形式および内容の他の例を示す図である。
【図５】この発明の記録方法、記録装置および記録媒体の一例を示す図である。
【図６】図５の記録装置における符号化処理の一例を示す図である。
【図７】この発明の送信方法および送信装置の一例を示す図である。
【図８】楽曲の連続性の説明に供する図である。
【符号の説明】
【００６５】
主要部については図中に全て記述したので、ここでは省略する。
【図１】
2005071523.tif 000003
【図２】
2005071523.tif 000004
【図３】
2005071523.tif 000005
【図４】
2005071523.tif 000006
【図５】
2005071523.tif 000007
【図６】
2005071523.tif 000008
【図７】
2005071523.tif 000009
【図８】
2005071523.tif 000010